(57)【要約】【課題】構造が比較的簡単で長時間の保冷が可能、かつ繰り返し使用が可能な緩保冷装置を提供する。【解決手段】表面が布地１９で覆われた断熱性を有するシート材１１を用いて造られ、一部に開口部１２が形成された偏平状袋体１３と、偏平状袋体１３に出し入れできる保冷材とを有する緩保冷装置１０であって、保冷材は重ねて配置される第１、第２の保冷具１６、１７を有し、第１の保冷具１６には家庭用冷蔵庫の冷凍庫の温度では不凍の不凍性ゲル２７が第１の密閉容器２６内に収納され、第２の保冷具１７には家庭用冷蔵庫の冷凍庫の温度で凍る凍結性ゲル２９が第２の密閉容器２８内に収納され、第２の保冷具１７の上に第１の保冷具１６を重ねている。【選択図】図１
0003179846.tif 000002
【実用新案登録請求の範囲】
【請求項１】
厚みが１〜７ｍｍの範囲にあって表面が布地で覆われた断熱性を有するシート材を用いて造られ、一部に開閉可能な開口部が形成された偏平状袋体と、該偏平状袋体に前記開口部を介して出し入れできる保冷材とを有する緩保冷装置であって、
前記保冷材は第１、第２の保冷具を有し、前記第１の保冷具は、第１の密閉容器と該第１の密閉容器内に収納され家庭用冷蔵庫の冷凍庫の温度では不凍の不凍性ゲルとを備え、前記第２の保冷具は、第２の密閉容器と該第２の密閉容器内に収納され前記冷凍庫の温度で凍る凍結性ゲルとを備え、しかも、前記第２の保冷具の上に前記第１の保冷具を重ねて、前記偏平状袋体内に配置していることを特徴とする緩保冷装置。
【請求項２】
請求項１記載の緩保冷装置において、前記不凍性ゲルの凝固点は−２１℃より低い温度であって、前記凍結性ゲルの融点は−１５℃以上であることを特徴とする緩保冷装置。
【請求項３】
請求項１又は２記載の緩保冷装置において、前記布地は化学繊維であって、前記シート材は該化学繊維がコーティングされた発泡性ゴムシートからなることを特徴とする緩保冷装置。
【請求項４】
請求項１〜３のいずれか１に記載の緩保冷装置において、前記偏平状袋体は平面視して矩形状となって、上下の前記シート材を連結する縫合手段によって、左右に複数分割され、分割された領域にそれぞれ前記第１、第２の保冷具が収納されていることを特徴とする緩保冷装置。
【請求項５】
請求項１〜４のいずれか１に記載の緩保冷装置は、前記偏平状袋体は、平面視して短辺が３０〜４５ｃｍ、長辺が３０〜７０ｃｍの範囲にある長方形状となって、ペットの保冷具として使用されることを特徴とする緩保冷装置。
【請求項６】
請求項１〜５のいずれか１に記載の緩保冷装置においては、上下に重なる前記第１、第２の保冷具は、合成樹脂製又は布製の中間袋に収納されて、前記偏平状袋体に入れられていることを特徴とする緩保冷装置。
【請求項７】
請求項１〜６のいずれか１項に記載の緩保冷装置において、前記シート材の厚みは２．５〜５ｍｍの範囲にあることを特徴とする緩保冷装置。
【考案の詳細な説明】
【技術分野】
【０００１】
本考案は、表面が布地で覆われた断熱性を有するシート材を用いて造られ、一部に開閉可能な開口部が形成された偏平状袋体と、偏平状袋体に開口部を介して出し入れできる保冷材とを有する緩保冷装置に関する。
【背景技術】
【０００２】
ゼリー状物を袋に入れ、冷蔵庫に入れてゼリー状物を冷却し、そのまま患部に当てると冷たいので、タオル等に巻いて使用する保冷具が市販されている。しかしながら、このような保冷具は、一般的に保冷時間が短かくかつ結露するので、本考案者は先に特許文献１に記載するように、保冷具を断熱性を有する袋内に収納した緩保冷装置を提案した。
一方、近年ペット等が夏場を凌ぎ易くするため、特許文献２に記載のようにペット用マットが提案されている。
【先行技術文献】
【特許文献】
【０００３】
【特許文献１】実用新案登録第３１４８８６１号公報
【特許文献２】特開２００９−５０１８４号公報
【考案の概要】
【考案が解決しようとする課題】
【０００４】
ところが、特許文献１記載の技術をそのままペット用マットに適用したのでは、一時的な保冷にはなるがより長い時間の保冷は困難であり、内部に収納された保冷具の交換を短時間で行う必要がある。
特許文献２においては、断熱シートの他方の面に積層される保冷シートとして、蓄熱材を内包したマイクロカプセルを多数分散させたものや、ゲル状物を収納したシート等が提案されているが、基本的には特許文献１のものと大差なく、保冷時間が短いという問題があった。
【０００５】
本考案はかかる事情に鑑みてなされたもので、構造が比較的簡単で長時間の保冷が可能、かつ繰り返し使用が可能な緩保冷装置を提供することを目的とする。
【課題を解決するための手段】
【０００６】
前記目的に沿う第１の考案に係る緩保冷装置は、厚みが１〜７ｍｍ（より好ましくは、２．５〜５ｍｍ）の範囲にあって表面が布地で覆われた断熱性を有するシート材を用いて造られ、一部に開閉可能な開口部が形成された偏平状袋体と、該偏平状袋体に前記開口部を介して出し入れできる保冷材とを有する緩保冷装置であって、
前記保冷材は第１、第２の保冷具を有し、前記第１の保冷具は、第１の密閉容器と該第１の密閉容器内に収納され家庭用冷蔵庫の冷凍庫の温度では不凍の不凍性ゲルとを備え、前記第２の保冷具は、第２の密閉容器と該第２の密閉容器内に収納され前記冷凍庫の温度で凍る凍結性ゲルとを備え、しかも、前記第２の保冷具の上に前記第１の保冷具を重ねて、前記偏平状袋体内に配置している。
【０００７】
なお、家庭用冷蔵庫の冷凍庫の温度は、一般的には−１８℃に保持されるが、内部に設けられたダイヤルによって２〜３℃の範囲で調整可能であり、従って、家庭用冷蔵庫の冷凍庫の温度は−２１〜−１５℃の範囲と言える。従って、第２の考案に係る緩保冷装置においては、前記不凍性ゲルの凝固点は−２１℃より低い温度であって、前記凍結性ゲルの融点は−１５℃以上であるとした。また、家庭用冷蔵庫の温度が−１８℃を標準としていない冷凍庫で第１、第２の保冷具を冷却する場合も本考案は適用される。
【０００８】
第３の考案に係る緩保冷装置は、第１、第２の考案に係る緩保冷装置において、前記布地は化学繊維であって、前記シート材は該化学繊維がコーティングされた発泡性ゴムシート（例えば、発泡性クロロプレンゴムシート）からなる。
【０００９】
第４の考案に係る緩保冷装置は、第１〜第３の考案に係る緩保冷装置において、前記偏平状袋体は平面視して矩形状となって、上下の前記シート材を連結する縫合手段（例えば、表側シート材と裏側シート材の縫合）によって、左右に複数分割され、分割された領域にそれぞれ前記第１、第２の保冷具が収納されている。
【００１０】
第５の考案に係る緩保冷装置は、第１〜第４の考案に係る緩保冷装置において、前記偏平状袋体は、平面視して短辺が３０〜４５ｃｍ、長辺が３０〜７０ｃｍの範囲にある長方形状となって、ペット用の保冷具として使用される。
【００１１】
そして、第６の考案に係る緩保冷装置は、第１〜第５の考案に係る緩保冷装置において、上下に重なる前記第１、第２の保冷具は、合成樹脂製又は布製の中間袋に収納されて、前記偏平状袋体に入れられている
【考案の効果】
【００１２】
第１〜第６の考案に係る緩保冷装置は、保冷材が重ねて配置される第１、第２の保冷具を有し、第１の保冷具は家庭用冷蔵庫の冷凍庫の温度では不凍の不凍性ゲルが第１の密閉容器内に収納され、第２の保冷具は家庭用冷蔵庫の冷凍庫の温度で凍る凍結性ゲルが第２の密閉容器内に収納され、しかも、第２の保冷具の上に第１の保冷具を重ねて偏平状袋体内に配置されているので、より長時間の保冷が可能となり、更に結露も防止できる。
【００１３】
第１の保冷具は、家庭用冷蔵庫に入れても凍結しない不凍性ゲルを備えているので、柔らかく座り心地、寝心地がよいクッション材として作用し、第２の保冷具は凍結性ゲルを用いているので、保有する吸熱力が大きく、より長時間の保冷が得られる。
【００１４】
第３の考案に係る緩保冷装置は、布地が化学繊維であって、シート材は化学繊維がコーティングされた発泡性ゴムシート（例えば、発泡性クロロプレンゴムシート）からなるので、断熱性がよく、従って保冷時間も長くなり、更にクョション性も向上する。
【００１５】
第４の考案に係る緩保冷装置は、偏平状袋体が平面視して矩形状となって、上下のシート材を連結する縫合手段によって、左右に複数分割され、分割された領域にそれぞれ第１、第２の保冷具が収納されているので、第１、第２の保冷具の移動が無くなり、使用心地が向上する。
【００１６】
第５の考案に係る緩保冷装置は、偏平状袋体が平面視して短辺が３０〜４５ｃｍ、長辺が３０〜７０ｃｍの範囲にある長方形状となって、ペット用の保冷具として使用されるので、ペットが快適に夏を過ごすことができ、熱中症を防止できる。
【００１７】
そして、第６の考案に係る緩保冷装置は、上下に重なる第１、第２の保冷具が、合成樹脂製又は布製の中間袋に収納されて、偏平状袋体に入れられているので、更に保冷性が増し取り扱いも容易となる。
【図面の簡単な説明】
【００１８】
【図１】（Ａ）は本考案の第１の実施の形態に係る緩保冷装置の平面図、（Ｂ）は断面図、（Ｃ）は背面図である。
【図２】（Ａ）、（Ｂ）はそれぞれ同緩保冷装置の部分断面図である。
【図３】（Ａ）、（Ｂ）はそれぞれ本考案の第２の実施の形態に係る緩保冷装置の平面図及び断面図である。
【考案を実施するための形態】
【００１９】
続いて、添付した図面を参照し、本考案を具体化した実施の形態に係る緩保冷装置について説明する。
本考案の第１の実施の形態に係る緩保冷装置１０は、表面が布地で覆われた断熱性を有するシート材１１を用いて造られ、一部に開閉可能な開口部１２が形成された偏平状袋体１３と、偏平状袋体１３に開口部１２を介して出し入れできる保冷材として、中間袋１５に収納されている第１、第２の保冷具１６、１７を有している。以下、これらについて詳しく説明する。
【００２０】
シート材１１は、厚みが１〜７ｍｍ（より好ましくは、２．５〜５ｍｍ）の発泡性ゴムシート１８とその上に一体的に接合された（コーティングされた）強度を有する化学繊維製（例えば、ナイロン、テトロン、ビニロン等）の布地１９とからなっている。なお、シート材１１は潜水服に使用される布地を用いるのがよい。
そして、偏平状袋体１３は、図１（Ａ）に示すように角部が円弧となった矩形状に切断され、十分強度を有する糸（化学繊維製がよい）によって周囲を接合されている。
【００２１】
この状態を詳細に説明すると、シート材１１の周囲の縫合は、図１（Ｂ）、図２（Ａ）に示すように、表裏のシート材１１を切断端面２２、２３で向かい合わせ、切断端面２２、２３を接着剤を用いて接合した後、縫合している。また、場合によっては、図２（Ｂ）に示すように、表裏のシート材１１の端部の発泡性ゴムシート１８の裏面（内側面）を当接させて、接着剤を用いて接合した後、更に縫合してもよい。なお、偏平状袋体１３の製造にあっては、各辺の接合に、図２（Ａ）に示す接合方法と、図２（Ｂ）に示す接合方法の両方を使用しても良いし、一部の辺のみであれば、単にシート材１１を折り曲げるだけであってもよい。
【００２２】
この長方形状の偏平状袋体１３の寸法は、例えば、縦（＝高さｈ、短辺）が３０〜４５ｃｍ、横Ｗ（長辺）が３０〜７０ｃｍの範囲となって、中央には上下に貫通する縫い目（縫合手段の一例）２４が形成され、偏平状袋体１３の内部は中央で左右に分割されている。なお、縫い目２４は偏平状袋体１３の中央に設けられているが、その長さＬは偏平状袋体１３の高さｈの１／４〜１／２程度となっている。                          
【００２３】
偏平状袋体１３の裏側には、図１（Ｃ）に示すように左右に長い開口部１２が設けられ、この開口部１２には図示しないファスナー（通常「ジッパー」、「チャック」という）が設けられ、開閉可能となっている。なお、開口部１２の幅Ｐは偏平状袋体１３の高さｈの０．８５〜０．９５倍となっている。ここで、前記した「ジッパー」の代わりに面状ファスナーやボタン等を用いてもよい。
【００２４】
第１、第２の保冷具１６、１７を収納する中間袋１５は合成樹脂製の袋からなって、十分な断熱性及び保冷性を有している。また、この中間袋１５は布製であってもよい。
中間袋１５、第１、第２の保冷具１６、１７を収納した後、中間袋１５の周囲を熱シール等で密封していてもよいが、周囲の一部を開放していてもよい。
【００２５】
縫い目２４で２分割された偏平状袋体１３の内部には、それぞれ第１の保冷具１６と第２の保冷具１７が中間袋１５に収納された状態で配置されている。第１の保冷具１６は、合成樹脂製の第１の密閉容器２６と、第１の密閉容器２６内に収納された、家庭用冷蔵庫の冷凍庫の温度では不凍の不凍性ゲル２７が収納されている。即ち、この不凍性ゲル２７の凝固点は−２１℃より低い温度にしているので、容易には凝固しないようにしている（好ましくは、−２１℃より低く−３０℃以上程度で凍る）。
【００２６】
また、第２の保冷具１７は、合成樹脂製の第２の密閉容器２８と、第２の密閉容器２８内に収納された家庭用冷蔵庫の冷凍庫の温度では凍結する凍結性ゲル２９とを備えている。そして、この凍結性ゲル２９の凝固点（融点）は−１５℃以上（好ましくは、−１２〜−１４℃）にしているので、家庭用冷蔵庫の冷凍庫で冷やすと容易に凝固する。
【００２７】
一般に家庭用冷蔵庫の冷凍庫の温度は平均−１８℃程度であり、冷凍庫に長時間保存すると、第２の保冷具１６内のゲルは凍らず（従って、不凍性ゲルと称する）、第２の保冷具１７中のゲルは凍る（従って、凍結性ゲルと称する）。そして、それぞれ大きな融解熱を有し、より大きな熱吸収力を有している。なお、第２の保冷具１７は凍結するので、より大きな融解熱を必要とし、第１の保冷具１６より熱吸収性が大きい。
【００２８】
第２の保冷具１７は凍ると、平面視して矩形状となって変形し難いので、中間袋１５に収納した状態で、偏平状袋体１３に入れる。開口部１２はこの第２の保冷具１７が入るのに十分な開口広さを有している。
第１、第２の保冷具１６、１７は市販のものを使用するのが好ましく、それぞれの平均厚みは１〜２．５ｃｍ程度である。
【００２９】
この緩保冷装置１０を使用する場合は、第１、第２の保冷具１６、１７を家庭用冷蔵庫の冷凍庫に入れて冷却する。これによって、第１の保冷具１６は凍結しないが、第２の保冷具１７は凍結する。この冷凍庫への第１、第２の保冷具１６、１７の収納は、中間袋１５に入れてから行ってもよい。なお、第２の保冷具１７については凍るとそのままの形状を維持するので、平面状にして冷却する。
【００３０】
緩保冷装置１０を使用する場合は、冷凍庫から中間袋１５に入れた状態の第１、第２の保冷具１６、１７を取り出し、又は、第１、第２の保冷具１６、１７を冷凍庫から取り出して中間袋１５に入れ、偏平状袋体１３に開口部１２から入れる。
そして、ペットの保冷用マット（ペットの保冷具の一例）として使用する場合は、使用状態で、第２の保冷具１７を下位置に、第１の保冷具１６を上位置にするようにして入れる。これによって、不凍性ゲルを入れた第１の保冷具１６のクッション性を活かすことができる。
【００３１】
続いて、図３を参照しながら、本考案の第２の実施の形態に係る緩保冷装置３０について説明する。第１の実施の形態に係る緩保冷装置１０と相違する点は、横幅が広く、２カ所に縫い目３１、３２が設けられ、偏平状袋体３４が３つの部屋３５〜３７に仕切られている点である。なお、偏平状袋体３４の高さ（短辺）は３０〜４５ｃｍ、幅（長辺）は４０〜７０ｃｍ程度である。
【００３２】
偏平状袋体３４の裏側には幅方向に長い開口部３９が設けられ、図示しないファスナー（ジッパー）、等によって開閉できるようになっている。
この開口部３９から部屋３５〜３７に、それぞれ第１、第２の保冷具１６、１７を重ねて入れることができるようになっている。なお、第１、第２の保冷具１６、１７を中間袋４０に入れるのが好ましい。
この緩保冷装置３０の使用方法は、緩保冷装置１０と同様である。
【００３３】
本考案は以上の実施の形態に限定されるものではなく、本考案の要旨を変更しない範囲での寸法変更、形状変更（例えば、ハート形）、用途変更（ペット用の他、病院、家庭用）も含む。また、前記実施の形態では、開口部を下にして使用したが、場合によっては上にすることもできる。
【符号の説明】
【００３４】
１０：緩保冷装置、１１：シート材、１２：開口部、１３：偏平状袋体、１５：中間袋、１６：第１の保冷具、１７：第２の保冷具、１８：発泡性ゴムシート、１９：布地、２２、２３：切断端面、２４：縫い目、２６：第１の密閉容器、２７：不凍性ゲル、２８：第２の密閉容器、２９：凍結性ゲル、３０：緩保冷装置、３１、３２：縫い目、３４：偏平状袋体、３５〜３７：部屋、３９：開口部、４０：中間袋
【図１】
0003179846.tif 000003
【図２】
0003179846.tif 000004
【図３】
0003179846.tif 000005